(57)【要約】【課題】  収納と展開の操作に便利である壁面収納式家具を提供する。【解決手段】  板部と、固定架２０と、支持架３０と、制御ハンドル４０と、制御棒５０と、スプリング６０を備える。二つの固定架２０は板部の左右両側に位置付けられ、板部に対し回転可能で、胴部に少なくとも二つの係止固定孔を有する。二つの支持架３０は板部底面の左右両側に装着される軸棒３１を有する。支持棒３４の一端は軸棒３１の上に装着され、他端が板部の後側まで延伸され、軸棒３１は常に同一場所で回転し、支持棒３４を駆動し軸棒３１を軸心に回転させる。制御ハンドル４０は板部底面の前側に近い位置で、回転可能である。制御棒５０は制御ハンドル４０の上に装着され、両端が支持棒３４の上に装着され、軸棒３１を内または外へ回転させる。二つのスプリング６０はそれぞれ軸棒３１の胴部に装着され、その弾性力で軸棒３１を外へ回転させるように維持する。【選択図】    図２
0003105326.tif 000002
【実用新案登録請求の範囲】
【請求項１】
最上面と底面を有する板部と、
一端が板部底面の後側に装着され、板部の左右両側に位置付けられ、かつ板部に対し回転可能であり、胴部に少なくとも二つの係止固定孔を有する二つの固定架と、
それぞれ板部底面の左右両側に装着される軸棒を有する二つの支持架であって、支持棒を有し、支持棒はその一端が軸棒の上に装着され、他端が板部の後側まで延伸され、かつ軸棒との間に所定の距離を置き、また軸棒は常に同一場所で回転可能にすることで支持棒を駆動し軸棒を軸心に回転させる二つの支持架と、
一端が板部底面の前側に近い位置に装着され、かつ回転可能な制御ハンドルと、
胴部が制御ハンドルの上に装着され、両端が支持架の支持棒の上に装着され、かつ制御ハンドルの動きにより支持棒に接近しそれを押さえるかそれから離れるように制御されることで軸棒を内または外へ回転させる制御棒と、
それぞれ直棒の胴部に装着され、その弾性力で軸棒を外へ回転させるように維持する二つのスプリングとを備えることを特徴とする壁面収納式家具。
【請求項２】
軸棒の板部後側に近い一端は、軸方向に垂直の方向で横へ延伸されアームを形成し、支持棒の一端はアームの一端に連接されることで、アームと支持棒は軸棒に伴い回転し、板部に接近したりそれから離れたりすることが可能であることを特徴とする請求項１に記載の壁面収納式家具。
【請求項３】
板部底面には回転部を有し、制御ハンドルは回転部の上に装着され、回転部は位置制限用肩面を有することで、制御ハンドルが回転し位置制限用肩面に達す場合、制御ハンドルは最大回転角度を形成することを特徴とする請求項１に記載の壁面収納式家具。
【請求項４】
板部左右両側は底面へ折り曲がることで、左側面と右側面を形成し、また左側面と右側面は内へ折り曲がることで、左肩面と右肩面を形成し、かつ制御棒の二端は板部の底面と左肩面、右肩面との間に制限され、かつ最大移動距離を有することを特徴とする請求項１に記載の壁面収納式家具。
【請求項５】
固定架は、横断面が略Ｕ形を呈し、壁面と二つの位置制限用側面を有し、固定架が回転し板部に達す場合、固定架の二つの側面は板部の底面の上に位置付けられ、また固定架が回転し板部に垂直である場合、底面と板部の後端側はほぼそろうようになることを特徴とする請求項１に記載の壁面収納式家具。
【請求項６】
軸棒の上には少なくとも一つの回転ユニットを有し、回転ユニットは軸棒の外側に被せる軸カバーを有し、かつ軸カバーの一側から延伸され係止固定板を形成し、係止固定板は板部の上に係止固定されることで、軸棒は板部底面に位置し常に同一場所で回転可能であることを特徴とする請求項１に記載の壁面収納式家具。
【請求項７】
係止固定板と軸カバーの接合箇所には、係止固定板を板部の左右側面に位置付けするねじ孔を有し、またねじ孔に対応する穿孔を有し、そして回転ユニットはボルトにより板部側面の上に係止固定されることで、軸棒は板部の底面に位置し、軸カバー中で常に同一場所で回転可能であることを特徴とする請求項６に記載の壁面収納式家具。
【考案の詳細な説明】
【技術分野】
【０００１】
本考案は、テーブルまたは椅子などに関し、特に壁面収納式家具に関する。
【背景技術】
【０００２】
公共の場所または室内では、公衆にとって使用を容易にし、空間を十分に利用し収納空間を減少させるために、壁の上に椅子またテーブルを装着固定し、大衆に使用させる。通常、壁面に装着固定する椅子は収納可能な形態と収納不可能な形態が二つある。
【考案の開示】
【考案が解決しようとする課題】
【０００３】
収納可能な椅子は収納不可能な椅子と比べて、空間をより有効に利用可能であるが、収納時の操作の便利性があるのかを考慮し作られるものではなければ、使用者は使う気持ちをそがれてしまう。
【０００４】
したがって本考案の主な目的は、収納と展開の操作に便利である壁面収納式家具を提供することにある。
【課題を解決するための手段】
【０００５】
上述の目的を達成するために本考案の請求項に記載の壁面収納式家具は、板部と、二つの固定架と、二つの支持架と、制御ハンドルと、制御棒と、二つのスプリングを備える。板部は最上面と底面を有する。二つの固定架はそれぞれその一端により板部底面の後側に装着され、板部の左右両側に位置付けられ、また二つの固定架は板部に対し回転を可能にし、かつ二つの固定架の胴部に少なくとも二つの係止固定孔を有する。二つの支持架はそれぞれ板部底面の左右両側に装着される軸棒を有し、また各支持架は支持棒を有し、支持棒はその一端が軸棒の上に装着され、他端が板部の後側まで延伸され、かつ軸棒との間に適当な距離を置き、また軸棒は常に同一場所で回転を可能にすることで、支持棒を駆動し軸棒を軸心に回転させる。制御ハンドルはその一端により板部底面の前側に近い位置に装着され、かつ回転可能である。制御棒はその胴部が制御ハンドルの上に装着され、両端が支持架の支持棒の上に装着され、また制御棒は制御ハンドルの動きにより支持棒に接近しそれを押さえるかそれを離れるように制御されることで、軸棒を内または外へ回転させる。二つのスプリングはそれぞれ軸棒の胴部に装着され、その弾性力で軸棒を外へ回転させるように維持するものである。
【考案を実施するための最良の形態】
【０００６】
以下、本考案の実施例を図面に基づいて説明する。
図１は本考案の実施例の展開正面図である。
図２は図１の２−２線断面図である。
図３は本考案の実施例の展開底面図である。
図４は本考案の実施例の収納後の底面図である。
図５は図４の５−５線断面図である。
図６は本考案の実施例の回転ユニットと軸棒との結合を示す図である。
図７は本考案の実施例の壁面上に使用された状態を示す図である。
図８と図９は本考案のもう一つの板部の形態を示す図である。
【０００７】
上述の図に示すように、本考案の実施例による壁面収納式家具は下記のものを備える。
板部１０は、図１から図４に示すように、最上面１０１と底面１０２を有し、その四周が底面に折り曲がれ、前、後、左、右の四つの側面１０３、側面１０４、側面１０５、側面１０６を形成する。前側面１０３と左右両側面１０５、側面１０６が内へ折り曲がることで、前肩面１０７と左右二つの肩面１０８、肩面１０９を形成するものである。板部底面１０２の中央の前側面１０３に近い位置にはアングルユニット１１を有し、アングルユニット１１は二つの平行直立しかつ底面に垂直である連接板１１１を有する。
【０００８】
二つの固定架２０は、図１から図３に示すように、それぞれその一端により板部底面１０２の両側に装着され、かつ板部１０の後側面１０４と左右肩面１０５、肩面１０６の近くに位置付けられる。また二つの固定架２０は板部１０に対し回転でき、板部１０との間の角度を９０度以上にする。固定架２０はその横断面が?形を呈し、壁面２１と二つの位置制限用側面２２を有し、固定架２０が回転し板部１０に達す場合、固定架２０の二つの位置制限用側面２２は板部１０の底面１０２の上に位置付けられ、かつ壁面２１は高さが肩面１０７、肩面１０８、肩面１０９に等しい。また固定架２０が回転し板部１０に垂直である場合、壁面２１と板部１０の後側面１０４はほぼそろうようになる。また壁面２１の上には少なくとも二つの係止固定孔２３を有するため、係止固定ユニットが係止固定孔２３を貫通することにより固定架２０を壁面（またはほかの物体）の上に固定させると同時に板部１０を壁面の上に固定させることが可能である。
【０００９】
二つの支持架３０は、図１から図５に示すように、各支持架３０はそれぞれ板部底面１０２の左右両側１０５、両側１０６の近くに装着される軸棒３１を有する。本実施例では、軸棒３１の上には回転ユニット３２を二つ有する。図６に示すように回転ユニット３２は軸棒３１の外側に被せる軸カバー３２１を有し、かつ軸カバー３２１の一側から延伸され係止固定板３２２を形成し、係止固定板３２２の上には係止固定孔３２３を有するため、係止固定ユニットにより板部の上に固定させることが可能である。本実施例では、係止固定板３２２と軸カバー３２１の接合箇所には、係止固定板３２２を板部１０の左右側面に位置付けする係止固定孔３２３を有し、また係止固定孔３２３に対応する穿孔を有し、そして回転ユニット３２はボルト１２により板部の左右側面１０５、側面１０６の上に係止固定されることで、軸棒３１は板部１０の底面１０２に位置し、軸カバー３２中で常に同一場所で回転可能である。軸棒３１の板部後側面１０４に近い一端は、軸方向に垂直にする方向で横へ延伸されアーム３３を形成し、かつ軸棒３１の他端は延伸され支持棒３４を形成し、アーム３３の一端に連接する。アーム３３と支持棒３４は同一平面に位置し、軸棒３１に伴い回転し、板部１０に接近したりそれを離れたりすることが可能である。
【００１０】
制御ハンドル４０は、図１から図５に示すように、アングルユニット１１の上に装着され、板部１０に対し回転可能である。本実施例では、制御ハンドル４０は?形を呈し、その両端の自由端により板部底面１０２の二つの連接板１１１に装着されることで回転するようになる。
【００１１】
制御棒５０は、図１から図５に示すように、制御ハンドル４０の上に装着され、その両端が支持棒３４の上に位置付けられ、そして制御ハンドル４０が板部１０の方向に回転する場合、制御棒５０は支持棒３４を押さえながら板部の方向へ移動すると同時に、軸棒３１を回転させ、アーム３３を板部１０の方向へしまう。
【００１２】
二つのスプリング６０は、図２と図３に示すように、それぞれ軸棒３１の胴部に装着され、スプリング６０はその弾性力で軸棒３１を外へ回転させるように維持し、アーム３３と支持棒３４を板部１０から離すものである。
【００１３】
本考案にしたがってより一層考案してみれば、支持棒３４とアーム３３は展開状態で二つの固定架２０の位置に照準を自動的に合わせるように設定することも可能である。すると、より便利になり使う価値がある。図１から図４に示すように、支持棒３４、アーム３３と板部１０の間の角度は制御棒５０により制御され、制御棒５０が板部１０に接近するかそれを離れる場合、支持棒３４とアーム３３は制御棒５０とともにスプリング６０の作用を受け、板部１０に接近するかそれから離れる。従って、制御棒５０を板部１０から離れるように制御するための最大移動距離は、支持棒３４とアーム３３が固定架２０の位置に照準を合わせ移動する距離に設計すれば、自動照準という効果を達成する。達成可能な技術手段の一つは、連接板１１１の上に位置制限用肩面１１２を設けることである。図３に示すように、制御ハンドル４０が回転し位置制限用肩面１１２に達すると同時に最大回転角度を形成する場合、制御棒５０と板部１０の間には最大移動距離が形成され、軸棒３１はスプリング６０の作用により外へ回転すると同時に、支持棒３４を外へ移動させ制御棒５０の上に位置し、そして支持棒３４とアーム３３を、固定架２０の位置に照準を合わせ自動移動するように設計することで、自動照準という効果を有する。また制御棒５０の両端を板部底面１０２と左右肩面１０８、肩面１０９の間に収納すれば、最大移動距離もあり、前述の通り、支持棒３４とアーム３３が固定架２０の位置に照準を合わせ自動移動するようになる。
【００１４】
本考案の範囲は実施例により掲示される二つの技術構造に制限されず、他の同じ目的を達成可能な構造をも含めるべきである。
例えば図６に示すように、係止固定ユニット（例えばボルト）で固定架を一般の壁面の上に固定可能であり、または図７に示すように庭の木製柵または平面を係止固定可能な物体の上に装着可能である。普段使わない場合、収納状態を呈し、図４と図５に示すようにアームと、支持棒および固定架は板部の底面の上に位置する。板部を展開し使用しようとする場合、板部を上に回転させ係止固定平面から離し、かつ回転角度は９０度以上であり、軸棒はスプリングの弾性力作用を受け外へ回転すると同時に、アームと支持棒を外へ回転移動させる。続いてアームと支持棒を固定架に照準させ、板部をおろし、アームと支持棒を固定架の壁面に位置付け二つの位置制限用側面の間に制限し、図１、図２と図７に示すように、板部は固定架と支持架によりしっかり支持され、板部と固定架、アーム、支持棒との間には９０度前後の角度が形成される。
【００１５】
板部を固定の平面に収納する場合、手で板部を上に移すことでアームと支持棒が固定架を離れるようになると同時に、手で制御ハンドルを動かし板部に回転させることで、制御棒が支持棒を押さえながら板部に接近するように移動させられ、そして軸棒を回転させ、アームと支持棒と板部の間の角度を９０度以下にして、板部を下ろし係止固定平面の上にしまい、収納状態となる。
【００１６】
また板部は、椅子トップ、テーブルトップまたは寝台トップ、及びほかの壁面収納可能な平面に適用可能である。図８に示すように板部８１の最上面には多数個の凸状粒８２を有することで、使用者との間の摩擦力を増加させるか、または図９に示すように、板部９１の表面にクッション９２を被せることで、使用者により快適に使用させることが可能である。
【図面の簡単な説明】
【００１７】
【図１】本考案の実施例による壁面収納式家具を示す展開正面図である。
【図２】図１の２−２線断面図である。
【図３】本考案の実施例による壁面収納式家具を示す展開底面図である。
【図４】本考案の実施例による壁面収納式家具を示す収納後の底面図である。
【図５】図４の５−５線断面図である。
【図６】本考案の実施例による壁面収納式家具の回転ユニットと軸棒との結合を示す図である。
【図７】本考案の実施例による壁面収納式家具が壁面上に使用された状態を示す図である。
【図８】本考案の実施例による壁面収納式家具の板部の形態を示す図である。
【図９】本考案の実施例による壁面収納式家具の板部の形態を示す図である。
【符号の説明】
【００１８】
１０  板部、１１  アングルユニット、１２  ボルト、２０  固定架、２１  壁面、２２  位置制限用側面、２３  係止固定孔、３０  支持架、３１  軸棒、３２  回転ユニット、３３  アーム、３４  支持棒、４０  制御ハンドル、５０  制御棒、６０  スプリング、１０１  最上面、１０２  底面、１０３  前側面、１０４  後側面、１０５  左側面、１０６  右側面、１０７  前肩面、１０８  左肩面、１０９  右肩面、１１１  連接板、１１２  位置制限用肩面、３２１  軸カバー、３２２  係止固定板、３２３  係止固定孔、
【図１】
0003105326.tif 000003
【図２】
0003105326.tif 000004
【図３】
0003105326.tif 000005
【図４】
0003105326.tif 000006
【図５】
0003105326.tif 000007
【図６】
0003105326.tif 000008
【図７】
0003105326.tif 000009
【図８】
0003105326.tif 000010
【図９】
0003105326.tif 000011